(57)【要約】      （修正有）【課題】磁力面に対して垂直に働く、反発エネルギー、吸着エネルギーを効率良く、直接に、軸の回転運動とするモーターを得る。【解決手段】円筒形永久磁石２，３を、軸１に対して平行に、軸上に設置して、Ｓ極、Ｎ極を左右に分け、この円筒形永久磁石２，３に対して平行に設置した円筒形電磁石４を持って、円筒形永久磁石２，３のそれぞれの磁極に対して同極の磁場を当て発生する反発のエネルギーにより、軸１を回転させ、磁力面に対して垂直に働く吸着エネルギー、反発エネルギーを使って軸の回転運動を取り出す族。【選択図】図５
2012186997.tif 000002
【特許請求の範囲】
【請求項１】
円筒形永久磁石を、軸に対して平行に、軸上に設置して、円筒形永久磁石のＮ極、Ｓ極を左右に分け、この円筒形永久磁石に対して平行に設置した円筒形電磁石を持って、円筒形永久磁石のＮ極、Ｓ極それぞれの極に対して、同極の磁場を当て、発生する反発のエネルギーを持って、軸の回転運動を起動し、磁力面に対して垂直な吸着エネルギー、反発エネルギーで軸の回転運動を形成するモーター。
【発明の詳細な説明】
【技術分野】
【０００１】    モーター・ブラシレスモーター
【背景技術】
【０００２】
【発明の開示】
【発明が解決しようとする課題】
【０００３】    磁力面に対して垂直に働く、同極による反発力、異極による吸着力を、効率良く、直接に、軸の回転運動に変えるには、どのように行えばよいか。【０００４】    課題を明確にする為の３つの実験を行います。【０００５】    実験１、磁力面に対して垂直に働く磁力を把握する為の実験です。常に身近に磁石を置き、反発面を握り、吸着面を剥がす。【０００６】    実験１の実験結果。このエネルギーは使えるです。【０００７】    実験２、磁力面に対して垂直に働く磁力を効率良く取り出す実験です。実験２実行図として図面１に示します。机上で、Ａ，Ｂ２つの正方形磁石の反発面を合わせ、Ａ磁石を放すと、Ａ磁石は、Ｂ磁石の前方へ勢い良く飛び出します。Ａ磁石を真直ぐに、遠くへ飛ばす事が出来れば、磁力面に対して垂直に働く磁力を効率良く取り出していると云えます。実験２により、以下の３つの結果が出ます。【０００８】    実験２の結果１。Ａ磁石とＢ磁石は、密着していなければいけない。
理由、Ａ磁石とＢ磁石が少しでも離れると、磁力は極端に弱くなり、Ａ磁石は遠くへ飛びません。これでは、磁力面に対して垂直に働く磁力を効率良く取り出しているとは云えません。僕、個人の実験結果ですが、磁石と磁石の間が２ミリ離れると、磁力は真価を失います。意味がありません。【０００９】    実験２の結果２。Ａ磁石とＢ磁石は、正対していなければいけない。
理由、Ａ磁石又はＢ磁石が少しでも傾いていると、Ａ磁石は真直ぐに飛びません。湾曲して飛び、距離が出ません。又、Ａ磁石、Ｂ磁石双方側面上下部、裏面の異極との反応を否定できません。
これでは、磁力面に対して垂直に働く磁力を効率良く取り出しているとは云えません。【００１０】    実験２の結果３。Ａ磁石とＢ磁石は、同型同極でなければいかない。
理由、磁石には、Ｎ極、Ｓ極の間、磁力面の中央部に磁力の弱い部分が在り、先ず、この部分の面積が合致し、次に、その周辺の磁力の強い部分面積が合致して初めて、磁力面に対して垂直に働く磁力を効率良く取り出す事が出来ます。【００１１】    実験３。磁力面に対して垂直に働く磁力を直接に軸の回転運動に変える実験です。
直接とは、クランク等を使わず、又、磁石、軸等に移動や振動を与えないで、軸の回転運動へ変えるという意味で表現しています。実験３実行図として図面２に示します。【００１２】    ターンテーブルの上に、Ａ磁石をテープで貼り付け、Ｂ磁石を水平に接近させると、ターンテーブルは動きます。【００１３】    実験３の結果１。
磁力面に対して垂直に働く反発力・吸着力持って、軸の回転運動を取り出す事は可能である事を証明しています。【００１４】    実験３の結果２。
図面２、実験３実行図イ．に示す様に、円周を対角線状に挟む形でＡ磁石、Ｂ磁石を設置します。
この様に設置しないと、回転してきたＡ磁石と固定してあるＢ磁石が接触してしまうからです。
Ａ磁石とＢ磁石の間隔が開いてしまいます。これは、実験２結果１に反します。これでは、磁力を効率良く使用しているとは云えません。このようなモーターは創っても意味がありません。【００１５】    実験３の結果３。
図面２、実験３実行図ロ．に示す様に、円周をＡ磁石、Ｂ磁石の間に平行に挟む様に設置してみると、Ａ磁石は、円周に沿ってＢ磁石より移動しますが、Ａ磁石はＢ磁石に対して傾いてしまいます。
これでは、両磁石の側面、裏面の異極との反応を否定出来ません。これは、実験２結果２に反します。このようなモーターは創る気がしません。【００１６】    上の実験結果に寄り、課題に対して３つの条件が付加されます。これを総合課題として示します。【００１７】    総合課題
磁力面に対して垂直に働く、同極による反発力、異極による吸着力を、効率良く、直接に軸の回転運動に変えるには、どのように行えばよいか。付加される３つの条件。【００１８】    付加条件１．Ａ磁石とＢ磁石は、密着していなければいけない。【００１９】    付加条件２．Ａ磁石とＢ磁石は、正対していなければいけない。【００２０】    付加条件３．Ａ磁石とＢ磁石は、同型同極でなければいけない。
【課題を解決するための手段】
【００２１】    円筒形永久磁石を、軸に対して平行に、軸上に設置し、円筒形永久磁石の磁極、Ｎ極とＳ極を左右に分け、円筒形電磁石を、この円筒形永久磁石へ平行に設置し、円筒形永久磁石のＮ極、Ｓ極それぞれの磁極へ対し、円筒形電磁石を持って同極の磁場を当て、発生する反発のエネルギーを使って、軸の回転運動を起動し、円筒形電磁石と円筒形永久磁石の間に発生する磁力面に対して垂直な吸着エネルギーと反発エネルギーを使って軸の回転運動を形成するモーターを創る。
【発明の効果】
【００２２】    永久磁石と電磁石を円筒形にする事により、磁力面に対して垂直な磁力を、無限大に接近させる事が出来、永久磁石と電磁石を平行に設置する事により、磁力の傾きを得る事も無い。更に、Ｎ極、Ｓ極を左右に分ける事により、異極による回転運動への干渉を取り除く事が出来た。【００２３】    磁力面に対して垂直に働く反発のエネルギー、吸着のエネルギーを直接に、効率良く、軸の回転運動へ変える事が出来た。
【発明を実施するための最良の形態】
【００２４】    現在、この国に於いて市販されている円筒形永久磁石は、その円形の面を机上に接する様に置き、これを縦と認識した場合、この上方下方にＮ極又は、Ｓ極が配置されています。
この円筒形永久磁石を、机面に対して水平に設置した軸に対し、平行に、この軸上へ設置して、円筒形永久磁石のＮ極、Ｓ極を左右に分け、この円筒形永久磁石に対して、円筒形電磁石を平行に接近させて設置し、円筒形永久磁石のＮ極、Ｓ極、それぞれの極に対し、円筒形電磁石を持って同極の磁場を当て、発生する反発のエネルギーにより、軸の回転運動を起動し、同極の円筒形永久磁石と軸を挟む形で対象側に設置してある異極の円筒形永久磁石に発生する吸着エネルギーを使って、軸の回転運動を形成します。
【実施例】
【００２５】    電源は、単１電池を２本直列で使用しました。【００２６】    軸は、直径５ミリ、長さ１００ミリの真鍮。【００２７】    主柱は、２０ミリ×２０ミリ×１００ミリの透明アクリルを削りだして作りました。【００２８】    円筒形永久磁石は、直径８ミリ、長さ８ミリのネオジム磁石を４個。２個組にして、軸を挟む形で左右対称に磁力配置を逆にして、軸上に設置しました。【００２９】    円筒形電磁石は、直径５ミリ×４５ミリのボルトナットにエナメル線０．５５を巻き厚１０ミリで巻きます。これは、永久磁石と電磁石中心の鉄部を接近させ過ぎると、永久磁石と鉄の吸着エネルギーが優先され、電磁石へ電気信号を送っても反応しなくなってしまうからです。永久磁石と電磁石中央の鉄部の吸着力が軸の回転運動のブレーキに成らず、僅かな吸着エネルギーとバランスにより、固定してある電磁石に軸上の永久磁石を固定できる、この空間距離が約１０ミリでしたので、この１０ミリの空間距離をエネメル線の巻き厚で埋めました。この様にする事により、円筒形電磁石を軸上の円筒形永久磁石へ無限大に接近させる事が出来、磁力を効率良く使用する事が出来ます。然し、無限大に接近させる事が出来ると云っても、やはり、限界が在ります。それは、接触してしまってはいけないからです。電磁石と永久磁石が接触しない限りであれば、無限大に接近させる事が出来るのです。【００３０】    ドラム部は、直径２０ミリ×２０ミリのアクリル円柱に、中心より円周に対して約１６５度で銅箔を貼り、円筒形電磁石、円筒形永久磁石、軸の中心を結ぶ水平線より約４５度の角度を取り、フィラメントを当てます。【００３１】    フィラメントによる回転運動の信号は、スィツチＯＮ，固定円筒形電磁石が軸上Ａ円筒形永久磁石を弾き挙げる。軸上Ｂ円筒形永久磁石が固定円筒形電磁石へ引き寄せられる。通過直前、スィツチＯＦＦ。慣性により、軸上Ａ円筒形永久磁石が固定電磁石を通過。通過直後、スィツチＯＮこの順に成ります。【００３２】    回転速度の制御は、固定円筒形電磁石を軸上円筒形永久磁石へ近づけると早く回転し、遠ざけると遅く回転します。この方法により行うことが出来ます。
【産業上の利用の可能性】
【００３３】    Ｍ−００３  ＹＳで、車を走らせます。
【図面の簡単な説明】
【００３４】
【図１】    図１は、実験２実行図です。磁力面に対して垂直に働く反発力、吸着力を効率良く取り出すための実験です。固定してあるＢ磁石に対して、Ａ磁石を真直ぐにより遠くへ飛ばす事が出来れば、磁力面に対して垂直な磁力を効率よく取り出していると云えます。
【００３５】
【図２】    図２は、ターンテーブルえを使った実験３実行図です。磁力面に対して垂直に働く磁力を直接に軸の回転運動へ変える実験です。直接とは、クランク等を使わず、又、軸、磁石に移動や振動等を与えないでと云う意味で表現しています。この実験で解る事は、磁力面に対して垂直な磁力で軸の回転運動を取り出す事は可能である事です。然し、図２イ．は、磁石の間隔が空いてしまうため磁力の使用効率が低く、ロ．は、磁力面が傾き、又、異極の影響を排除出来ません。
【００３６】
【図３】    図３は、水平に正対している２つの円を升に落として観ると、升の対角線上４５度上方下方に於いても円が正対する事が判ります。この事を図に示したものです。
【００３７】
【図４】    図４は、図３を固定電磁石、軸上永久磁石、円周へ置き変えたものです。正対している固定円筒形電磁石と軸上円筒形永久磁石は、軸、円筒形永久磁石、固定円筒形電磁石を結ぶ水平線上４５度上方下方の円周上でも正対する事が判ります。これだけの角度が有れば、軸の回転運動を取り出す事が出来ます。益して、磁力は線ではなくエリアなのですから。正対する固定円筒形電磁石と軸上円筒形永久磁石の間に発生した反発エネルギーは、軸の可動により、反発エネルギーの少ない方へ円筒形永久磁石を移動させます。永久磁石の磁力が一定であるのに対し、電磁石の磁力は、云わば、細かい振動ですので、この反動と慣性により、軸上円筒形永久磁石は４５度圏内へ侵入し、軸の回転運動へ変化します。
【００３８】
【図５】    図５は、Ｍ−００３  ＹＳの駆動部、円筒形電磁石、円筒形永久磁石起動側、軸、円筒形永久磁石の在り様と磁力配置をイメージ図として示します。
【００３９】
【図６】    図６は、Ｍ−００３  ＹＳの全体、固定円筒形電磁石、円筒形永久磁石、軸、ドラム部、フィラメント、配線、台、電池、スイッチの在り様をイメージ図として示します。
【００４０】
【図７】    図７は、固定円筒形電磁石、軸上円筒形永久磁石、フィラメント、ドラム部、軸を正面で示し、ドラム部、フィラメントを拡大して表しています。銅箔の円周に対する角度は約１６５度、円筒形電磁石、円筒形永久磁石、軸の中心を結ぶ水平線から銅箔の始まる点の角度は約４５度である事を示します。
【００４１】
【図８】    図８は、Ｍ−００３  ＹＳから、ドラム部、フィラメントを取り外し、回転速度制御装置を取り付け、ブラシレス化したＭ−００３  ＹＳの在り様をイメージ図として示します。
【図１】
2012186997.tif 000003
【図２】
2012186997.tif 000004
【図３】
2012186997.tif 000005
【図４】
2012186997.tif 000006
【図５】
2012186997.tif 000007
【図６】
2012186997.tif 000008
【図７】
2012186997.tif 000009
【図８】
2012186997.tif 000010